【手続補正書】
【提出日】平成19年10月19日(2007.10.19)
【手続補正１】
【補正対象書類名】特許請求の範囲
【補正対象項目名】全文
【補正方法】変更
【補正の内容】
【特許請求の範囲】
【請求項１】
骨組織再生のために適した生体吸収性プラグインプラントであって、第１部分と、前記第１部分から外側に伸びる第２部分とを含み、前記第１及び第２部分が膨張性材料から形成されており、前記膨張性材料が多孔性材料であるプラグインプラント。
【請求項２】
完全に相互接続した多孔性構造を有する請求項１に記載のプラグインプラント。
【請求項３】
円錐、切頭円錐、五面体、切頭五面体、及び／又はマッシュルームのような形状である、請求項１又は２に記載のプラグインプラント。
【請求項４】
前記第１部分が第１表面を含み、及び前記第２部分が前記第１表面とは反対側の第２表面を含み、前記第１表面が前記第２表面の面積より小さい面積を有する、請求項１〜３のいずれか１項に記載のプラグインプラント。
【請求項５】
前記第１及び第２表面が平面である請求項１〜４のいずれか１項に記載のプラグインプラント。
【請求項６】
前記膨張性材料が、生体吸収性ポリカプロラクトン（ＰＬＣ）を含む請求項１〜５のいずれか１項に記載のプラグインプラント。
【請求項７】
前記膨張性材料が、ＰＬＣフィラメントを１層ずつ積層化することによって調製される請求項６に記載のプラグインプラント。
【請求項８】
前記膨張性材料が、生体吸収性リン酸三カルシウム−ポリカプロラクトン（ＴＣＰ−ＰＬＣ）を含む請求項１〜７のいずれか１項に記載のプラグインプラント。
【請求項９】
生物活性物質をさらに含む請求項１〜８のいずれか１項に記載のプラグインプラント。
【請求項１０】
前記プラグインプラントの生体吸収性スカフォールド上に播種された細胞をさらに含む請求項１〜９のいずれか１項に記載のプラグインプラント。
【請求項１１】
ポリカプロラクトン（ＰＬＣ）フィラメントを１層ずつ積層化することによって調製される、膨張性材料から形成される骨組織再生のために適した生体吸収性プラグインプラント。
【請求項１２】
第１部分と、前記第１部分から外側に伸びる第２部分とを含み、前記第１及び第２部分が膨張性材料から形成される請求項１１に記載の生体吸収性プラグインプラント。
【請求項１３】
円錐、切頭円錐、五面体、切頭五面体、及び／又はマッシュルームのような形状である請求項１１又は１２に記載のプラグインプラント。
【請求項１４】
前記第１部分が第１表面を含み、前記第２部分が前記第１表面と反対側の第２表面を含み、前記第１表面が前記第２表面の面積より小さい面積を有する請求項１２又は１３に記載のプラグインプラント。
【請求項１５】
前記第１及び第２表面が平面である請求項１２〜１４のいずれか１項に記載のプラグインプラント。
【請求項１６】
前記第１及び第２表面が円形、四角形又は長方形の形状を有する請求項１２〜１５のいずれか１項に記載のプラグインプラント。
【請求項１７】
テーパー形状を有する請求項１１〜１６のいずれか１項に記載のプラグインプラント。
【請求項１８】
前記第１部分は厚さＸを有し、前記第２部分は厚さＹを有し、Ｘ：Ｙの比率が１：１から１０：１である請求項１２〜１７のいずれか１項に記載のプラグインプラント。
【請求項１９】
前記膨張性材料が多孔性材料である請求項１１〜１８のいずれか１項に記載のプラグインプラント。
【請求項２０】
完全に相互接続した多孔性構造を有する請求項１１〜１９のいずれか１項に記載のプラグインプラント。
【請求項２１】
膨張性材料が熱溶解積層法（ＦＤＭ）技術を用いてＰＬＣフィラメントを１層ずつ積層化することによって調製される請求項１１〜２０のいずれか１項に記載のプラグインプラント。
【請求項２２】
前記ＰＬＣフィラメント層が、０°、６０°及び／又は１２０°の方向付けを有する請求項１１〜２１のいずれか１項に記載のプラグインプラント。
【請求項２３】
前記膨張性材料が、生体吸収性リン酸三カルシウム−ポリカプロラクトン（ＴＣＰ−ＰＬＣ）を含む請求項１１〜２２のいずれか１項に記載のプラグインプラント。
【請求項２４】
前記ＴＣＰ−ＰＬＣが、ＴＣＰ−ＰＬＣ（２０：８０％）である請求項２３に記載のプラグインプラント。
【請求項２５】
前記ＴＣＰ−ＰＬＣが６０〜７０％の多孔性を有する請求項２３又は２４に記載のプラグインプラント。
【請求項２６】
カテーテルを配置し除去するための開口部を有する請求項１１〜２５のいずれか１項に記載のプラグインプラント。
【請求項２７】
親水性溶液、親水性液体及び／又は体液と接触すると膨張する請求項１１〜２６のいずれか１項に記載のプラグインプラント。
【請求項２８】
骨欠損内への挿入に適しており、前記骨の外面に固定するための手段を必要としない請求項１１〜２７のいずれか１項に記載のプラグインプラント。
【請求項２９】
生物活性物質をさらに含む請求項１１〜２８のいずれか１項に記載のプラグインプラント。
【請求項３０】
前記プラグインプラントの生体吸収性スカフォールド上に播種された細胞をさらに含む請求項１１〜２９のいずれか１項に記載のプラグインプラント。
【請求項３１】
前記細胞が幹細胞である請求項３０に記載のプラグインプラント。
【請求項３２】
前記細胞が間葉系幹細胞である請求項３０又は３１に記載のプラグインプラント。
【請求項３３】
請求項１〜１０のいずれか１項に記載の生体吸収性プラグインプラントを提供するステップと、
骨の欠損又は間隙内へ前記プラグインプラントの第１部分を挿入するステップであって、前記プラグインプラントの第２部分が骨の欠損又は間隙の外側輪郭に係合するステップと、
前記インプラントを体液と接触させ、それにより前記プラグが前記欠損又は間隙内に適合するように前記プラグインプラントのサイズを膨張させるステップと
を含む、望ましくない骨の間隙を美容上修復するための非治療的方法。
【請求項３４】
請求項１１〜３２のいずれか１項に記載の生体吸収性プラグインプラントを提供するステップと、
骨の欠損又は間隙内へ前記プラグインプラントの第１部分を挿入するステップであって、前記プラグインプラントの第２部分が骨の欠損又は間隙の外側輪郭に係合するステップと、
前記インプラントを体液と接触させ、それにより前記プラグが前記欠損又は間隙内に適合するように前記プラグインプラントのサイズを膨張させるステップと
を含む、望ましくない骨の間隙を美容上修復するための非治療的方法。
【請求項３５】
骨細胞が前記プラグインプラント内に進入して骨組織を再生させることを可能にするように、前記プラグインプラントが、多孔性材料から形成されている請求項３４に記載の方法。
【請求項３６】
頭蓋形成術を実施するための方法である、請求項３４又は３５に記載の方法。
【請求項３７】
前記プラグインプラントと前記骨の欠損もしくは間隙とが１ｍｍ未満の初期公差を有する、請求項３４〜３６のいずれか１項に記載の方法。
【請求項３８】
前記初期公差が０．５ｍｍ未満である、請求項３７に記載の方法。
【請求項３９】
前記初期公差が０．２ｍｍ未満である、請求項３７に記載の方法。
【請求項４０】
ドレナージを行うためのプラグインプラントの開口部にカテーテルを配置することをさらに含む請求項３４〜３９のいずれか１項に記載の方法。
【請求項４１】
前記骨欠損内への前記プラグインプラントの挿入が、前記欠損を取り囲んでいる骨の外面に前記プラグを固定するための手段を必要としない、請求項３４〜４０のいずれか１項に記載の方法。
【請求項４２】
前記プラグインプラントの生体吸収性スカフォールド上に播種された細胞をさらに含む請求項３４〜４１のいずれか１項に記載の方法。
【請求項４３】
前記細胞が幹細胞である請求項４２に記載の方法。
【請求項４４】
前記細胞が間葉系幹細胞である請求項４２又は４３に記載の方法。
【請求項４５】
請求項１〜３３のいずれか１項に記載のプラグインプラントを含むキット。